(57)【要約】【課題】インクジェット印刷装置において、リフレッシュ、並びにワイプ機構を安価にて省スペースで構成し、ノズルの目詰まりを防止することを課題とする。【解決手段】インク滴を吐出するための複数のノズルを有する印刷ヘッドを１個以上有し、ノズルから印刷用紙にインクを吐出して印刷を行うインクジェット印刷装置において、印刷用紙を搬送方向に対して水平方向に移動させる機構を設け、前記印刷用紙を水平方向に移動させることによりインク受けにリフレッシュを行うことを特徴とする。前記インク受けは、固定式または可動式の何れでもよい。また、前記印刷用紙を搬送方向に対して水平方向に移動させる機構を設け、印刷用紙を水平方向に移動させることによりノズルのワイプを行うことを特徴とする。前記ノズルのワイプは、印刷用紙の搬送方向に対して水平方向もしくは垂直方向に行う。【選択図】図３
2004237631.tif 000002
【特許請求の範囲】
【請求項１】
インク滴を吐出するための複数のノズルを有する印刷ヘッドを１個以上有し、ノズルから印刷用紙にインクを吐出して印刷を行うインクジェット印刷装置において、前記印刷用紙を搬送方向に対して水平方向に移動させる機構を設け、前記印刷用紙を水平方向に移動させることによりインク受けにリフレッシュを行うことを特徴とするインクジェット印刷装置。
【請求項２】
前記インク受けが固定式であることを特徴とする請求項１記載のインクジェット印刷装置。
【請求項３】
前記インク受けが可動式であることを特徴とする請求項１記載のインクジェット印刷装置。
【請求項４】
インク滴を吐出するための複数のノズルを有する印刷ヘッドを１個以上有し、ノズルから印刷用紙にインクを吐出して印刷を行うインクジェット印刷装置において、前記印刷用紙を搬送方向に対して水平方向に移動させる機構を設け、印刷用紙を水平方向に移動させることにより前記ノズルのワイプを行うことを特徴とするインクジェット印刷装置。
【請求項５】
前記印刷用紙の搬送方向に対して水平方向に前記ノズルのワイプを行うことを特徴とする請求項４記載のインクジェット印刷装置。
【請求項６】
前記印刷用紙の搬送方向に対して垂直方向にノズルのワイプを行うことを特徴とする請求項４記載のインクジェット印刷装置。
【発明の詳細な説明】
【０００１】
【発明の属する技術分野】
本発明はインクジェット印刷装置に関する。
【０００２】
【従来の技術】
従来のインクジェット印刷装置は、印刷ヘッドをワイプ機構と対応する位置へ移動させ、リフレッシュ、並びに、ノズルのワイプを行っている（例えば、特許文献１参照）。
【特許文献１】
特開平１０−３２９３４１号公報
【０００３】
【発明が解決しようとする課題】
従来のインクジェット印刷装置でのリフレッシュ、並びに、ノズルのワイプ方法においては、印刷ヘッドを移動させるための十分なスペースを確保しなければならないという問題点があった。また、ライン方式などノズル数が増加した場合、印刷ヘッドの重量も増加するため、印刷ヘッドを移動するためのモータも高トルクが要求され、コスト的にも割高になるという問題点があった。
【０００４】
【課題を解決するための手段】
上記の課題は、印刷用紙を搬送方向に対して水平方向に移動させる機構を設け、印刷用紙を水平方向に移動させることによりインク受けにリフレッシュを行うことで解決される。前記インク受けは、固定式または可動式の何れでもよい。
【０００５】
また、上記の課題は、印刷用紙を搬送方向に対して水平方向に移動させる機構を設け、印刷用紙を水平方向に移動させることによりノズルのワイプを行うことで解決される。前記ノズルのワイプは、印刷用紙の搬送方向に対して水平方向もしくは垂直方向に行う。
【０００６】
【発明の実施の形態】
以下、図面を用いて、本発明の実施例を詳細に説明する。図１は本発明の第１の実施例である。図１において、ノズルのリフレッシュを行うため、まず、可動ローラ５をレール７に沿って、矢印ａの方向に移動させる。そして、可動ローラ６をレール８に沿って矢印ｂの方向に移動させることにより、可動ローラ５を移動させたことによりできた印刷ヘッド１と固定式インク受け１１間の印刷用紙９の弛みを取り除きリフレッシュ動作を行う。リフレッシュ動作終了後は、可動ローラ５、６をそれぞれレール７、８に沿って元の位置まで移動させることで印刷可能な状態となる。また、本実施例においては、可動ローラ６をレール８に沿って矢印ｂの方向に移動させることにより印刷用紙９の弛みを取り除いているが、印刷用紙搬送用モータを逆方向に回転させ弛みを取り除いてもよく、印刷用紙の弛みが取り除ければその他の方法でもよい。
【０００７】
図２は、図１において固定されていたインク受けを可動式とした本発明の第２の実施例である。図２において、まず、可動ローラ５をレール７に沿って、矢印ａの方向に移動させる。次に、可動ローラ６をレール８に沿って矢印ｂの方向に移動させることにより、可動ローラ５を移動させたことによりできた印刷ヘッド１と可動式インク受け１２間の印刷用紙９の弛みを取り除く。そして、可動式インク受け１２をレール７に沿って矢印ａの方向に移動させることによりノズルのリフレッシュを行う。リフレッシュ動作終了後は、可動式インク受け１２をレール７に沿って元の位置まで移動させ、可動ローラ５、６をそれぞれレール７、８に沿って元の位置まで移動させることで印刷可能な状態となる。また、本実施例においては、可動ローラ６をレール８に沿って矢印ｂの方向に移動させることにより印刷用紙９の弛みを取り除いているが、印刷用紙搬送用モータを逆方向に回転させ弛みを取り除いてもよく、印刷用紙の弛みが取り除ければその他の方法でもよい。
【０００８】
図３は第３の実施例であり、印刷用紙を水平方向に移動させ、印刷用紙の搬送方向に対して水平方向にノズルのワイプを行っている。図３において、まず、可動ローラ５をレール７に沿って、矢印ａの方向に移動させる。次に、可動ローラ６をレール８に沿って矢印ｂの方向に移動させることにより、可動ローラ５を移動させたことによりできた印刷ヘッド１とワイパ付き可動式インク受け１３間の印刷用紙９の弛みを取り除く。そして、ワイパ付き可動式インク受け１３をレール７に沿って矢印ａの方向に移動させることによりノズルのワイプを行う。さらに、ノズルのワイプ終了後にはリフレッシュも可能である。ワイプ動作およびリフレッシュ動作終了後は、ワイパ付き可動式インク受け１３をレール７に沿って元の位置まで移動させ、可動ローラ５、６をそれぞれレール７、８に沿って元の位置まで移動させることで印刷可能な状態となる。また、本実施例においては、ワイパとインク受けを一体型としているが、ワイパとインク受けは一体型でなくともよく、さらに、インク受けは可動式ではなく固定式でもよい。また、可動ローラ６をレール８に沿って矢印ｂの方向に移動させることにより印刷用紙９の弛みを取り除いているが、印刷用紙搬送用モータを逆方向に回転させ弛みを取り除いてもよく、印刷用紙の弛みが取り除ければその他の方法でもよい。
【０００９】
図４は第４の実施例を示し、印刷用紙を水平方向に移動させ、印刷用紙の搬送方向に対して垂直方向にノズルのワイプを行っている。図４において、まず、可動ローラ５をレール７に沿って、矢印ａの方向に移動させる。次に、図示しない可動ローラを図示しないレールに沿って移動させることにより、可動ローラ５を移動させたことによりできた印刷ヘッド１と固定式インク受け１１間の印刷用紙９の弛みを取り除く。そして、ワイプ機構１４をワイパ位置Ａからガイドシャフト１６に沿って矢印ｃの方向へ移動させノズルのワイプを行う。さらに、ノズルのワイプ終了後にはリフレッシュも可能である。ワイプ動作およびリフレッシュ動作終了後は、ワイプ機構１４をレール７に沿って元の位置まで移動させ、可動ローラ５及び図示しない可動ローラとをそれぞれレール７及び図示しないレールに沿って元の位置まで移動させることで印刷可能な状態となる。また、本実施例においては、インク受けを固定式としているが、インク受けは固定式ではなく可動式でもよい。また、ワイプ動作およびリフレッシュ動作終了後は、ワイプ機構１４を元の位置（ワイパ位置Ａ）に戻しているが元の位置に戻さず、次回のワイプをワイパ位置Ｂから矢印ｄの方向に行ってもよい。また、図示しない可動ローラとレールに沿って矢印ｂの方向に移動させることにより印刷用紙９の弛みを取り除いているが、印刷用紙搬送用モータを逆方向に回転させ弛みを取り除いてもよく、印刷用紙の弛みが取り除ければその他の方法でもよい。
【００１０】
【発明の効果】
以上説明したように本発明によれば、リフレッシュ並びにワイプ動作時に、印刷ヘッドを移動させるためのスペースを必要とせず、さらには、ライン方式などノズル数が増加した場合においても、安価にてリフレッシュ並びにワイプ機構を構成することが可能となる。
【００１１】
また、リフレッシュ動作だけではなく、ワイプ動作も行うことにより、ノズルの目詰まりを防止することが可能となる。
【図面の簡単な説明】
【図１】本発明インクジェット印刷装置の第１の実施例を示す側面図。
【図２】本発明インクジェット印刷装置の第２の実施例を示す側面図。
【図３】本発明インクジェット印刷装置の第３の実施例を示す側面図。
【図４】本発明インクジェット印刷装置の第４の実施例を示す立体斜視図。
【符号の説明】
１は印刷ヘッド、２、３は固定ローラ、４、は固定ローラＣ、５、６は可動ローラ、７、８はレール、９は印刷用紙、１０はインク滴、１１は固定式インク受け、１２は可動式インク受け、１３はワイパ付き可動式インク受け、１４はワイプ機構、１５はワイパ、１６はガイドシャフト、１７はノズルである。
【図１】
2004237631.tif 000003
【図２】
2004237631.tif 000004
【図３】
2004237631.tif 000005
【図４】
2004237631.tif 000006